(57)【要約】【課題】鉛筆挿入角度が自由に設定可能であるため、あらゆる設置場所に対して鉛筆挿入の操作性が良い電気鉛筆削り機を提供することを目的とする。【解決手段】モータと、前記モータで駆動されて回転するカッターと、前記モータおよびカッターを収納する本体ケースと、前記本体ケースに着脱自在に装着された受箱と、前記本体ケースの所定位置を回動支点に前記本体ケースを回動可能に保持するスタンドと、前記本体ケースと前記スタンドの相対位置が少なくとも２種類以上可能となる固定手段を備えた。【選択図】図１
2008296525.tif 000002
【特許請求の範囲】
【請求項１】
モータと、
前記モータで駆動されて回転するカッターと、
前記モータおよびカッターを収納する本体ケースと、
前記本体ケースに着脱自在に装着された受箱と、
前記本体ケースの所定位置を回動支点に前記本体ケースを回動可能に保持するスタンドと、
前記本体ケースと前記スタンドの相対位置が少なくとも２種類以上可能となる固定手段を備えたことを特徴とする電気鉛筆削り機。
【請求項２】
本体ケースと受箱のどちらか一方に配された凸部と、他方に凸部と嵌合可能に配された凹溝とを有し、前記本体ケースに前記受箱を着脱する際に前記凸部が前記凹溝の長手方向に相対移動することを特徴とする請求項１記載の電気鉛筆削り機。
【請求項３】
モータに電力を供給する配線コードが回動支点に配設された穴を貫通していることを特徴とする請求項１記載の電気鉛筆削り機。
【発明の詳細な説明】
【技術分野】
【０００１】
本発明は電気鉛筆削り機に関するものである。
【背景技術】
【０００２】
従来の電気鉛筆削り機には、鉛筆を水平方向（横方向）に挿入し操作するものと、鉛直方向（縦方向）に挿入して操作するものとが知られている。鉛筆を水平方向に挿入する従来の電気鉛筆削り機を図５に示し（例えば、特許文献１参照）、鉛筆を鉛直方向に挿入する従来の電気鉛筆削り機を図６に示す（例えば、特許文献２参照）。図５において、本体ケース１８は内部にモータ及びカッター（図示せず）を収納し、受箱１９は本体ケース１８に着脱自在に装着されて鉛筆削り屑を収納する。電源コード２１はモータに電力を供給しており、電源コード２１をコンセントに装着し鉛筆を鉛筆挿入口２０に水平方向に挿入するとモータが回転し鉛筆が削られる。また、図６においても図５の従来の電気鉛筆削り機同様に、本体ケース２２は内部にモータ及びカッター（図示せず）を収納し、受箱２３は本体ケース２２に着脱自在に装着されて鉛筆削り屑を収納しており、電源コード２５をコンセントに装着し鉛筆を鉛筆挿入口２４に鉛直方向に挿入すると鉛筆が削られる構成になっている。
【特許文献１】特開２０００−２５５１９５号公報
【特許文献２】特開平６−２２７１９９号公報
【発明の開示】
【発明が解決しようとする課題】
【０００３】
しかしながら、従来の電気鉛筆削りでは、鉛筆の挿入が水平方向（横方向）もしくは鉛直方向（縦方向）に固定されているため、水平方向挿入であるならば、机上の奥側に設置した場合は鉛筆挿入が比較的容易であるが、手元に設置した場合は挿入動作が窮屈になる。また、鉛直方向挿入の場合は、水平方向とは逆に机上の奥側に設置した場合は上体を屈めて鉛筆を持っていかなければならないが、手元に設置した場合は挿入動作が最短距離になり容易になる。以上のように、電気鉛筆削りのそれぞれの鉛筆挿入タイプにより、最適な設置場所が限定されるという課題を有していた。
【課題を解決するための手段】
【０００４】
前記従来の課題を解決するために、本発明の鉛筆削りはモータと、前記モータで駆動されて回転するカッターと、前記モータおよびカッターを収納する本体ケースと、前記本体ケースに着脱自在に装着された受箱と、前記本体ケースの所定位置を回動支点に前記本体ケースを回動可能に保持するスタンドと、前記本体ケースと前記スタンドの相対位置が少なくとも２種類以上可能となる固定手段を備えたというものである。本発明の構成によって、鉛筆挿入角度が自由に設定可能になる。
【０００５】
また、前記本体ケースと前記受箱のどちらか一方に配された凸部と、他方に前記凸部と嵌合可能に配された凹溝とを有し、前記本体ケースに前記受箱を着脱する際に前記凸部が前記凹溝の長手方向に相対移動することにより、鉛筆削り屑を蓄える部分を本体ケースの内部に収納する必要がない。
【０００６】
また、モータに電力を供給する配線コードが前記回動支点に配設された穴を貫通していることにより、電源コードがスタンドから導出可能になる。
【発明の効果】
【０００７】
本発明によると、鉛筆挿入角度が自由に設定可能であるため、設置場所に合わせた操作
性の良い形態を選択できる電気鉛筆削り機を得ることができる。
【０００８】
また、鉛筆削り屑を蓄える部分を本体ケースの内部に収納する必要がないため、本体ケースのどの角度に対しても受箱の中の鉛筆削り屑量を視認可能になる。
【０００９】
また、電源コードがスタンドから導出されるため、本体ケースの角度変更によって電源コードが振り回されることがない。
【発明を実施するための最良の形態】
【００１０】
以下本発明を実施するための最良の形態について、図面を参照しながら説明する。
【００１１】
（実施の形態１）
図１（ａ）は本発明の実施の形態１における電気鉛筆削り機の水平に鉛筆を挿入する状態の斜視図、図１（ｂ）は同電気鉛筆削り機の鉛筆を鉛直方向に挿入する状態の斜視図、図１（ｃ）は同電気鉛筆削り機の鉛筆を斜め下方向に挿入する状態の斜視図で、図２は同実施の形態１における電気鉛筆削り機の本体ケースの断面図、図３は同実施の形態１における電気鉛筆削り機のスタンドの要部断面図、図４は同実施の形態１における電気鉛筆削り機の受箱装着部及びスタンドの要部断面図である。図１において、本体ケース１は前面に鉛筆挿入口１ａを備え、その内部には図２の如くモータ２、モータ２の回転を伝達するギヤ３、ギア４、ギア５、円柱表面に螺旋状の切削刃を有するカッター６、カッター６を保持するカッターホルダー７を収納している。鉛筆挿入口１ａに鉛筆が挿入されるとスイッチ（図示せず）がオンされ、モータ２に通電される構成を有している。受箱８は鉛筆削り屑を収納し、図１（ａ）の矢印Ａ方向に本体ケース１に着脱自在に装着される。ここで、本体ケース１のＢ部には図４の如く内側に一対の凸部１ｂを有しており、受箱８の凹溝８ｂと嵌合することにより本体ケース１と受箱８が装着される。スタンド９は本体ケース１の回動支点１０を回動可能に保持している。スタンド９の内部には図３の如く本体ケース１に一体的に形成されたカム１１と、回動軸１２ａを支点に回動自在に取り付けられた一対のカムレバー１２と、カムレバー１２に取り付けられたばね１３が収納されており、本体ケース１を数カ所の所定位置に固定すると共に、本体ケース１を回動させる場合にはクリック感を有する構成になっている。また、スタンド９の底部には電源コード１４が取り付けられており、その配線コード１５は本体ケース１の回動支点１０の中心部に設けられた穴１０ａを貫通して本体ケース１内部へと導かれモータ２及びスイッチ（図示せず）へと繋がれている。
【００１２】
以上のような構成から、図１（ａ），（ｂ）、（ｃ）の如く、本体ケースはスタンドに対して回動支点を中心に自由な角度に調節することが可能になり、設置場所に合わせ鉛筆挿入操作性が最良の鉛筆挿入角度が自由に設定できるという特有の効果を有する。
【００１３】
また、本体ケースと受箱のどちらか一方に配された凸部と、他方に前記凸部と嵌合可能に配された凹溝とを有し、前記本体ケースに前記受箱を着脱する際に前記凸部が前記凹溝の長手方向に相対移動することにより、鉛筆削り屑を蓄える部分を本体ケースの内部に収納する必要がないので、図１（ｂ）の如く鉛筆縦挿入仕様の場合でも受箱を半透明材料とすることにより受箱の中の削り屑量を視認可能となる点で好ましい。
【００１４】
また、モータに電力を供給すべく配線コードが前記回動支点に配設された穴を貫通していることにより、電源コードがスタンドから導出されるため、本体ケースの角度変更によって電源コードが振り回されることがない点で好ましい。
【００１５】
なお、本実施例の形態においては、固定手段としてカムを用いたが、無段階で調整可能な所定トルクを有するクラッチを用いて良く、また、調整後にねじ等により固定するとい
う手段を用いても良い。
【産業上の利用可能性】
【００１６】
本発明にかかる電気鉛筆削り機は、あらゆる設置場所に対して鉛筆挿入の操作性が良い電気鉛筆削り機として有用である。
【図面の簡単な説明】
【００１７】
【図１】（ａ）本発明の実施の形態１における電気鉛筆削り機の水平に鉛筆を挿入する状態の斜視図、（ｂ）同電気鉛筆削り機の鉛筆を鉛直方向に挿入する状態の斜視図、（ｃ）同電気鉛筆削り機の鉛筆を斜め下方向に挿入する状態の斜視図
【図２】同実施の形態１における電気鉛筆削り機の本体ケースの断面図
【図３】同実施の形態１における電気鉛筆削り機のスタンドの要部断面図
【図４】同実施の形態１における電気鉛筆削り機の受箱装着部及びスタンドの要部断面図
【図５】鉛筆を水平方向に挿入し操作する従来の電気鉛筆削り機の斜視図
【図６】鉛筆を鉛直方向に挿入し操作する従来の電気鉛筆削り機の斜視図
【符号の説明】
【００１８】
１    本体ケース
２    モータ
６    カッター
８    受箱
９    スタンド
１０  回動支点
１１  カム
１２  カムレバー
１４  電源コード
１５  配線コード
【図１】
2008296525.tif 000003
【図２】
2008296525.tif 000004
【図３】
2008296525.tif 000005
【図４】
2008296525.tif 000006
【図５】
2008296525.tif 000007
【図６】
2008296525.tif 000008